(57)【要約】      （修正有）【課題】記憶するタグデータの容量に応じて、適切なカセットを選択できる画像形成装置を得る。【解決手段】タグデータを記憶すると共にタグデータを無線通信により送受信する非接触型タグが設けられた用紙Ｗに画像を印刷すると共に、タグデータを非接触型タグに記憶させる。その際、タグデータを記憶する容量の大小が異なる非接触型タグがそれぞれ設けられた複数種類の用紙Ｗをそれぞれ収納する複数のカセットを備える。非接触型タグに記憶するタグデータの容量ＣＦが、印刷される用紙の枚数ＰＰ分の非接触型タグの小容量の合計容量を超えるときには、大容量ＣＬの非接触型タグが設けられた用紙Ｗが収納されたカセットを選択する（Ｓ２７５、Ｓ２９０、Ｓ２９５）。大容量の合計容量を超えるときには、小容量の非接触型タグにネットワーク上のタグデータが記憶されたアドレスを記憶させる（Ｓ４２０〜Ｓ４５０）。【選択図】図６
2008073886.tif 000002
【特許請求の範囲】
【請求項１】
タグデータを記憶すると共に該タグデータを無線通信により送受信する非接触型タグが設けられた用紙に画像を印刷する印刷手段と、
前記タグデータを前記非接触型タグに記憶させる書込手段とを備えた画像形成装置において、
前記タグデータを記憶する容量の大小が異なる前記非接触型タグがそれぞれ設けられた複数種類の前記用紙をそれぞれ収納する複数のカセットと、
前記非接触型タグに記憶する前記タグデータの容量、及び、印刷される前記用紙の枚数分の前記非接触型タグの合計容量に基づいて、前記用紙が収納された前記カセットを選択する選択手段とを備えたことを特徴とする画像形成装置。
【請求項２】
前記選択手段は、前記非接触型タグに記憶する前記タグデータの容量が、印刷される前記用紙の枚数分の前記非接触型タグの小容量の合計容量を超えるときには、大容量の前記非接触型タグが設けられた前記用紙が収納された前記カセットを選択することを特徴とする請求項１に記載の画像形成装置。
【請求項３】
また、前記非接触型タグには、通信距離が長く小容量の前記非接触型タグと、通信距離が短く小容量の前記非接触型タグとを有し、それぞれの前記非接触型タグがそれぞれ設けられた前記用紙を収納するそれぞれのカセットを備え、
更に、前記選択手段は、前記非接触型タグに記憶する前記タグデータに、検索データが含まれるときには、１枚目の前記カセットに通信距離の長い小容量の前記非接触型タグが設けられた前記用紙が収納された前記カセットを選択することを特徴とする請求項１又は請求項２のいずれかに記載の画像形成装置。
【請求項４】
前記選択手段は、前記非接触型タグに記憶する前記タグデータに、検索データが含まれるときには、１枚目の前記カセットに、通信距離が長く小容量の前記非接触型タグが設けられた前記用紙が収納された前記カセットを選択し、２枚目以降の前記カセットに、前記非接触型タグに記憶する前記タグデータの容量が、印刷される前記用紙の枚数分の前記非接触型タグの小容量の合計容量を超えるときには、通信距離が短く大容量の前記非接触型タグが設けられた前記用紙が収納された前記カセットを選択することを特徴とする請求項３に記載の画像形成装置。
【請求項５】
更に、前記非接触型タグが設けられていない用紙が収納されたカセットを備え、
前記選択手段は、前記非接触型タグに記憶する前記タグデータを全て前記非接触型タグに記憶した後に、更に印刷を継続するときには、以後の前記カセットに、前記非接触型タグが設けられていない用紙を収納した前記カセットを選択することを特徴とする請求項１ないし請求項４のいずれかに記載の画像形成装置。
【請求項６】
前記選択手段は、前記非接触型タグに記憶する前記タグデータの容量が、印刷される前記用紙の枚数分の前記非接触型タグの大容量の合計容量を超えるときには、小容量の前記非接触型タグが設けられた前記用紙が収納された前記カセットを選択し、
前記書込手段は、ネットワーク上の前記タグデータが記憶されたアドレスを前記非接触型タグに記憶させることを特徴とする請求項１ないし請求項５のいずれかに記載の画像形成装置。
【請求項７】
複数の前記カセット毎に、前記用紙に設けられた前記非接触型タグの種類を判別する検出手段を設けたことを特徴とする請求項１ないし請求項７に記載の画像形成装置。
【発明の詳細な説明】
【技術分野】
【０００１】
本発明は、タグデータを無線通信により送受信する非接触型タグが設けられた用紙に画像を印刷すると共に、タグデータを非接触型タグに記憶させる画像形成装置に関する。
【背景技術】
【０００２】
従来より、特許文献１にあるように、タグデータを無線通信により送受信する非接触型タグが設けられた用紙に画像を印刷すると共に、非接触型タグにタグデータを記憶する画像形成装置が知られている。この画像形成装置では、非接触型タグが設けられた用紙を収納するカセットと、非接触型タグが設けられていない用紙を収納するカセットとを設け、与えられたデータに非接触型タグに書き込むタグデータが含まれているときには、非接触型タグが設けられた用紙を収納するカセットを選択して、用紙に画像を印刷すると共に、非接触型タグにタグデータを書き込んでいる。
【０００３】
また、特許文献２にあるように、異なるサイズの用紙をそれぞれ収納した複数のカセットを備え、複数のカセットのいずれかから給紙された用紙がレジスト位置に到達する前に、用紙に設けられた非接触型タグとの間で通信を行う読取手段を設ける。用紙に設けられた非接触型タグから取得した印刷モードデータに基づいて、紙質や紙厚に対する最適な定着温度の設定などの印刷モードを設定し、印刷を行う画像形成装置が知られている。この画像形成装置では、通信周波数の異なる複数の読取手段を設けて、あるいは、通信周波数を切り換えることにより通信する読取手段を設けて、周波数の異なる非接触型タグとも通信できるようにしている。
【特許文献１】特開２００２−３３７４２６号公報
【特許文献２】特開２００５−３１３５５１号公報
【発明の開示】
【発明が解決しようとする課題】
【０００４】
こうした従来の前者のものでは、非接触型タグにタグデータを記憶するときには、非接触型タグが設けられた用紙を収納するカセットを選択し、記憶するデータがないときには、非接触型タグが設けられていない用紙を収納するカセットを選択している。しかし、記憶させるタグデータの必要とするデータ容量が大きい場合、非接触型タグの有する記憶容量では不足する場合がある。そのような場合、タグデータを全て記憶させるために、白紙の状態の用紙の非接触型タグにタグデータを記憶させる必要があり、用紙の枚数が増加してしまうという問題があった。
【０００５】
また、後者のものでも、通信周波数の異なる非接触型タグを設けた用紙を用いることができ、異なるサイズの用紙から印刷する画像に応じた用紙を選択することはできるが、前者の場合と同様に、記憶させるタグデータの必要とする記憶容量が大きい場合には、白紙の状態の用紙の非接触型タグにタグデータを記憶させる必要があり、用紙の枚数が増加してしまうという問題があった。
【０００６】
本発明の課題は、記憶するタグデータの容量に応じて、適切なカセットを選択できる画像形成装置を提供することにある。
【課題を解決するための手段】
【０００７】
かかる課題を達成すべく、本発明は課題を解決するため次の手段を取った。即ち、タグデータを記憶すると共に該タグデータを無線通信により送受信する非接触型タグが設けられた用紙に画像を印刷する印刷手段と、前記タグデータを前記非接触型タグに記憶させる書込手段とを備えた画像形成装置において、前記タグデータを記憶する容量の大小が異なる前記非接触型タグがそれぞれ設けられた複数種類の前記用紙をそれぞれ収納する複数のカセットと、前記非接触型タグに記憶する前記タグデータの容量、及び、印刷される前記用紙の枚数分の前記非接触型タグの合計容量に基づいて、前記用紙が収納された前記カセットを選択する選択手段とを備えたことを特徴とする画像形成装置がそれである。
【０００８】
前記選択手段は、前記非接触型タグに記憶する前記タグデータの容量が、印刷される前記用紙の枚数分の前記非接触型タグの小容量の合計容量を超えるときには、大容量の前記非接触型タグが設けられた前記用紙が収納された前記カセットを選択するようにしてもよい。
【０００９】
また、前記非接触型タグには、通信距離が長く小容量の前記非接触型タグと、通信距離が短く小容量の前記非接触型タグとを有し、それぞれの前記非接触型タグがそれぞれ設けられた前記用紙を収納するそれぞれのカセットを備え、更に、前記選択手段は、前記非接触型タグに記憶する前記タグデータに、検索データが含まれるときには、１枚目の前記カセットに通信距離の長い小容量の前記非接触型タグが設けられた前記用紙が収納された前記カセットを選択するようにしてもよい。
【００１０】
その際、前記選択手段は、前記非接触型タグに記憶する前記タグデータに、検索データが含まれるときには、１枚目の前記カセットに、通信距離が長く小容量の前記非接触型タグが設けられた前記用紙が収納された前記カセットを選択し、２枚目以降の前記カセットに、前記非接触型タグに記憶する前記タグデータの容量が、印刷される前記用紙の枚数分の前記非接触型タグの小容量の合計容量を超えるときには、通信距離が短く大容量の前記非接触型タグが設けられた前記用紙が収納された前記カセットを選択するようにしてもよい。
【００１１】
更に、前記非接触型タグが設けられていない用紙が収納されたカセットを備え、前記選択手段は、前記非接触型タグに記憶する前記タグデータを全て前記非接触型タグに記憶した後に、更に印刷を継続するときには、以後の前記カセットに、前記非接触型タグが設けられていない用紙を収納した前記カセットを選択するようにしてもよい。
【００１２】
前記選択手段は、前記非接触型タグに記憶する前記タグデータの容量が、印刷される前記用紙の枚数分の前記非接触型タグの大容量の合計容量を超えるときには、小容量の前記非接触型タグが設けられた前記用紙が収納された前記カセットを選択し、前記書込手段は、ネットワーク上の前記タグデータが記憶されたアドレスを前記非接触型タグに記憶させるようにしてもよい。また、複数の前記カセット毎に、前記用紙に設けられた前記非接触型タグの種類を判別する検出手段を設けた構成としてもよい。
【発明の効果】
【００１３】
本発明の画像形成装置は、非接触型タグに記憶するタグデータの容量、及び、印刷される用紙の枚数分の非接触型タグの合計容量に基づいて、用紙が収納されたカセットを選択するので、白紙の状態で非接触型タグにタグデータを記憶させ、用紙の枚数が増加してしまうのを防止できるという効果を奏する。一般に、大容量タグは小容量タグよりチップ面積が大きく、用紙の折り曲げ等による破損の可能性が増大するため、なるべく小容量を使うのが望ましい。本発明では、大容量タグの使用を必要最小限に抑えることができるので、上記のような破損のおそれが少なくなると共に、コスト的にも有利となる。
【００１４】
また、記憶するタグデータの容量が用紙の枚数分の非接触型タグの小容量の合計容量を超えるときには、大容量の非接触型タグが設けられた用紙が収納されたカセットを選択すると、小容量の非接触型タグにタグデータを記憶させ、白紙状態で用紙を出力するのを防止できる。
【００１５】
タグデータに検索データが含まれるときに、１枚目に通信距離の長い小容量の非接触型タグが設けられた用紙が収納されたカセットを選択すると、用紙の検索が長距離からでもできるようになるので、用紙の検索が容易になる。その際、記憶するタグデータの容量が用紙の枚数分の非接触型タグの小容量の合計容量を超えるときには、大容量の非接触型タグが設けられた用紙が収納されたカセットを選択すると、小容量の非接触型タグにタグデータを記憶させ、白紙状態で用紙を出力するのを防止できる。
【００１６】
更に、非接触型タグが設けられていない用紙を収納したカセットを備え、タグデータを記憶した後は、非接触型タグが設けられていない用紙に印刷するようにすると、非接触型タグが設けられた用紙の枚数を低減できる。
【００１７】
タグデータの容量が大きいときに、タグデータとしてネットワーク上のアドレスを非接触型タグに記憶すると、白紙の状態で非接触型タグにタグデータを記憶させることなく、ネットワーク上からタグデータを得ることができる。
【００１８】
カセット毎に、非接触型タグの種類を判別する検出手段を設けると、カセットに別の種類の非接触型タグが収納されていても、誤った非接触型タグに記憶させ、用紙に印刷するのを防止できる。
【発明を実施するための最良の形態】
【００１９】
以下本発明を実施するための最良の形態を図面に基づいて詳細に説明する。
本実施形態に係る画像印刷装置は、プリンタ機能、スキャナ機能、コピー機能等を備えた複合機１であり、図１はその外観を示す斜視図である。また、図２は、読取ユニット３を開けた状態を示す複合機１の斜視図である。尚、以下の説明では、複合機１について、操作部６が設けられた面側（図１で紙面右下方向）を「前方」、その反対側（図１で紙面左上方向）を「後方」とする。
【００２０】
この複合機１は、フィーダ部２１及び画像形成部２２等（図３参照）を内蔵する画像形成ユニット２（本発明の「印刷手段」に相当）と、自動搬送原稿読取ユニット３（以下「読取ユニット３」という）とを備えている。図１、図２に示すように、読取ユニット３は、上面に矩形状の原稿台４ａが設けられた画像読取装置４と、その原稿台４ａを覆うように配される自動原稿搬送装置（以下「ＡＤＦ５」という）とを備えて構成されている。図２に示すように、読取ユニット３は、上記操作部６とは反対側の後端部が画像形成ユニット２の上面後端側において回動可能に軸支されている。
【００２１】
画像読取装置４の一端側（図１で紙面右下方向）には、ユーザによる各種の操作が可能な操作部６が設けられている。操作部６には、モード選択スイッチ９６、スタートキー９７、各種の操作ボタン９８、液晶表示のタッチパネル９９が設けられている。
【００２２】
モード選択スイッチ９６は、３種類の機能モード（ファックス機能、スキャナ機能、コピー機能のそれぞれの動作を可能とするモード）のうちからいずれかのモードを選択可能となっている。具体的には、コピーモードを選択するためのコピーモードキー９６ａ、ＦＡＸ（ファックス）モードを選択するためのＦＡＸモードキー９６ｂ、スキャナモードを選択するためのスキャナモードキー９６ｃの３つのモードキーが左右に並んで設けられている。
【００２３】
スタートキー９７は、機能モードに応じた動作を開始させるためのスイッチであり、コピーモードのときに押される（オンされる）と原稿台４ａ上に配（載置）された原稿のコピーを開始する。尚、ＦＡＸモード、スキャナモードのときに、スタートキー９７が押されると、ＦＡＸ送信原稿読取や、スキャナ原稿読取等の動作が行われる。
【００２４】
タッチパネル９９は、所定の操作で設定メニューボタン（図示略）が表示され、設定メニューボタンに触れると、各種の設定に関する表示がされる。また、印刷要求があった後に、例えば、用紙Ｗ不足等のエラーが生じた場合には、タッチパネル９９の一部を構成する表示部１０１にエラー表示がなされて、エラーが生じたことがユーザに報知される。
【００２５】
この操作部６の下側の位置には排紙トレイ２ａ（図３：後述）に連なって開口した用紙取り出し孔７が形成されている。その用紙取り出し孔７の下側には水平方向に伸びるスリット状の開口した手差給紙口８が形成されており、更にその下側には、４つの給紙カセット９（９ａ，９ｂ，９ｃ，９ｄ）が設けられている。
【００２６】
画像形成ユニット２の各構成について、図３を参照しつつ説明する。図３は、複合機１を給紙ローラ２５等の軸方向から見た要部側断面図であり、同図において紙面右側が複合機１の前方であり、紙面左側が複合機１の後方となる。
【００２７】
画像形成ユニット２のケーシング２０内には、用紙Ｗを給紙するためのフィーダ部２１や、給紙された用紙Ｗに所定の画像を形成するための画像形成部２２などが備えられている。また、画像形成部２２の上部には、画像形成部２２により画像形成され、排出された用紙Ｗを保持するために用いられる排紙トレイ２ａが配されている。
【００２８】
フィーダ部２１は、４つの給紙カセット９（９ａ，９ｂ，９ｃ，９ｄ）と、給紙カセット９内に設けられた揺動可能な用紙押圧板（図示略）と、給紙カセット９（９ａ，９ｂ，９ｃ，９ｄ）の前端側端部の上方に設けられる給紙ローラ２５などによって構成されている。
【００２９】
給紙カセット９（９ａ，９ｂ，９ｃ，９ｄ）は、ケーシング２０内の下方側に配され、操作部６側の面からそれぞれ着脱（装着及び取り外し）可能に装着されており、この中に用紙Ｗが積層されて収納されるようになっており、給紙ローラ２５によって最上位の用紙Ｗが搬送経路Ｌを介してレジストローラ２９側に順次送られるようになっている。
【００３０】
本実施形態では、給紙カセット９（９ａ，９ｂ，９ｃ，９ｄ）内に、後述する内部に情報が記憶されると共に、図示しないアンテナにより電波の送受信が行われる非接触型タグ８０（ＲＦＩＤ（Ｒａｄｉｏ  Ｆｒｅｑｕｅｎｃｙ  Ｉｄｅｎｔｉｆｉｃａｔｉｏｎ）タグ）（８０ａ，８０ｂ，８０ｃ）が備えられた用紙Ｗが収容される。
【００３１】
この用紙Ｗは、例えば、長方形の用紙Ｗの縁部（用紙Ｗの右上端の近くの印刷の際に余白となる部分。用紙Ｗの角部（四隅）でもよい）の一部に、非接触型タグ８０（８０ａ，８０ｂ，８０ｃ）が埋め込まれているものであり、通常の用紙と同様に、用紙Ｗの紙面に印刷を行うことができる。
【００３２】
非接触型タグ８０（８０ａ，８０ｂ，８０ｃ）は動作周波数が異なると通信距離も異なり、例えば、動作周波数が９００ＭＨｚと、１３．５６ＧＨｚとのものが用いられ、９００ＭＨｚのものは通信距離が長く、１３．５６ＧＨｚのものは通信距離が短い。
【００３３】
本実施形態では、３種類の非接触型タグ８０（８０ａ，８０ｂ，８０ｃ）が用いられており、通信距離が長く記憶容量の小さい非接触型タグ８０ａ、通信距離が短く記憶容量の大きい非接触型タグ８０ｂ、通信距離が短く記憶容量の小さい非接触型タグ８０ｃの３種類である。
【００３４】
本実施形態では、通信距離が長く小容量の非接触型タグ８０ａが設けられた用紙Ｗは最上段の給紙カセット９ａに収納されており、通信距離が短く大容量の非接触型タグ８０ｂが設けられた用紙Ｗは上から２段目の給紙カセット９ｂに収納されており、通信距離が短く小容量の非接触型タグ８０ｃが設けられた用紙Ｗは上から３段目の給紙カセット９ｃに収納されている。そして、最下段の給紙カセット９ｄには、非接触型タグ８０が設けられていない用紙Ｗが収納されている。
【００３５】
それぞれの給紙カセット９（９ａ，９ｂ，９ｃ，９ｄ）が装着された状態における後端側の側方には、給紙カセット９（９ａ，９ｂ，９ｃ，９ｄ）の着脱を検知するための着脱検知部８２が設けられている。着脱検知部８２は、例えば、給紙カセット９（９ａ，９ｂ，９ｃ，９ｄ）の両側方に投光素子（図示しない）と当該投光素子からの光を受ける受光素子（図示しない）とが一対設けられる光電センサであって、給紙カセット９（９ａ，９ｂ，９ｃ，９ｄ）の装着時には給紙カセット９（９ａ，９ｂ，９ｃ，９ｄ）の側壁により投光素子からの光が遮光され、給紙カセット９（９ａ，９ｂ，９ｃ，９ｄ）を引き出すことにより投光素子からの光が受光素子に受光されるものである。
【００３６】
そして、受光素子にて受光される光の受光量変化に応じた信号が図４に示すＣＰＵ９０に出力されることにより、ＣＰＵ９０は、給紙カセット９（９ａ，９ｂ，９ｃ，９ｄ）の装着及び引き出し（着脱）が行われたことを検出できるようになっている。
【００３７】
レジストローラ２９は、１対のローラから構成されており、近傍に配置された図示しない位置センサによる検知タイミングに基づいて、駆動及び停止の動作が制御される。そして、この制御により用紙Ｗの斜行が修正される。
【００３８】
給紙ローラ２５とレジストローラ２９との間には、給紙ローラ２５により送られる用紙Ｗの非接触型タグ８０（８０ａ，８０ｂ，８０ｃ）と対向するＩＣライタ８１（本発明の「書込手段」に相当）が設けられている。ＩＣライタ８１は、図示しないアンテナから電波を発することにより、用紙Ｗの非接触型タグ８０にタグデータを記憶させることができる。また、複数の図示しないアンテナを切り換えて使用することにより、動作周波数が異なる非接触型タグ８０（８０ａ，８０ｂ，８０ｃ）であってもタグデータを記憶させることができる。尚、アンテナを切り換える場合に限らず、動作周波数が異なるＩＣライタ８１をそれぞれ設けてもよい。
【００３９】
４つの給紙カセット９（９ａ，９ｂ，９ｃ，９ｄ）の側方には、上下４つの給紙カセット９（９ａ，９ｂ，９ｃ，９ｄ）の全体に亘る高さでＩＣリーダ８３（本発明の「検出手段」に相当）が設けられている。ＩＣリーダ８３は、各給紙カセット９（９ａ，９ｂ，９ｃ，９ｄ）の各非接触型タグ８０（８０ａ，８０ｂ，８０ｃ）との無線通信により、図示しない複数のアンテナを切り換えて、各非接触型タグ８０（８０ａ，８０ｂ，８０ｃ）の動作周波数を検出する。また、各非接触型タグ８０（８０ａ，８０ｂ，８０ｃ）の記憶容量を、予め各非接触型タグ８０（８０ａ，８０ｂ，８０ｃ）に記憶されているデータ等から検出して、各非接触型タグ８０（８０ａ，８０ｂ，８０ｃ）の種類を判別する。尚、アンテナを切り換える場合に限らず、動作周波数が異なるＩＣリーダ８３をそれぞれ設けてもよい。
【００４０】
画像形成部２２は、スキャナユニット４０、プロセスユニット４１、定着ユニット４２などを備えている。図３に示すように、スキャナユニット４０は、ケーシング２０内の上部に設けられ、レーザ発光部（図示略）、ポリゴンモータ４３により回転駆動されるポリゴンミラー４４、レンズ４５及び４６、反射鏡４７及び４８などを備えており、レーザ発光部から発光される所定の印刷イメージデータに基づくレーザビームを、ポリゴンミラー４４、レンズ４５、反射鏡４７、レンズ４６、反射鏡４８の順に通過あるいは反射させて、後述するプロセスユニット４１における感光体ドラム５２の表面上に高速走査にて照射させている。
【００４１】
複合機１には、画像形成ユニット２の本体部に対して着脱可能なプロセスユニット４１が設けられている。プロセスユニット４１は、ドラムカートリッジ５０と、現像カートリッジ５１とから構成されている。
【００４２】
プロセスユニット４１のうち、ドラムカートリッジ５０には、感光体ドラム５２、スコロトロン型帯電器５３、転写ローラ５４を備えている。また、現像カートリッジ５１には、現像ローラ５５、現像ローラ５５上に圧接される層厚規制ブレード５６、トナー供給ローラ５７及びトナー（現像剤）が充填されるトナーボックス５８などを備えている。
【００４３】
感光体ドラム５２は、現像ローラ５５の側方位置において、その現像ローラ５５と対向するような状態で時計方向に回転可能に配設されている。スコロトロン型帯電器５３は、正帯電用のスコロトロン型の帯電器であり、感光体ドラム５２に接触しないように、所定の間隔を隔てて配設されている。
【００４４】
そして、感光体ドラム５２の表面は、その感光体ドラム５２の回転に伴って、まず、スコロトロン型帯電器５３により一様に正帯電された後、スキャナユニット４０からのレーザビームの高速走査により露光され、所定の印刷イメージデータに基づく静電潜像が形成される。
【００４５】
次いで、現像ローラ５５の回転により、現像ローラ５５上に担持されかつ正帯電されているトナーが、感光体ドラム５２に対向して接触する時に、感光体ドラム５２の表面上に形成される静電潜像に供給される。
【００４６】
転写ローラ５４は、感光体ドラム５２の下方において、この感光体ドラム５２に対向するように配置され、ドラムカートリッジ５０に反時計方向に回転可能に支持されている。そして、感光体ドラム５２の表面上に担持された可視像は、用紙Ｗが感光体ドラム５２と転写ローラ５４との間を通る間に用紙Ｗに転写される。
【００４７】
定着ユニット４２は、プロセスユニット４１よりも用紙搬送方向下流側（後方側）に配設され、定着ユニット４２は転写された用紙Ｗ上のトナーを加熱溶融させるための加熱ローラ６３と、加熱ローラ６３に対向して配置され、送給される用紙Ｗを加熱ローラ６３に向けて押圧する押圧ローラ６４と、サーミスタ６５とを備えている。
【００４８】
加熱ローラ６３は、円筒状部材としての金属素管を備え、その軸方向に沿ってハロゲンランプが内装されている。このハロゲンランプにより、加熱ローラ６３の表面を、トナーが用紙Ｗに定着される定着温度（例えば、２００℃）まで加熱可能となっている。
【００４９】
押圧ローラ６４は、金属製のローラ軸と、この押圧ローラ軸の周りを被覆する、ゴム材料からなるゴムローラ部とを備えている。この押圧ローラ６４のゴムローラ部により加熱ローラ６３の金属素管に弾性的に押圧され、加熱ローラ６３の回転に従動される。
【００５０】
サーミスタ６５は、温度により抵抗値が変化する素子であり、その抵抗値の値により、加熱ローラ６３の温度を測定する。その温度により、ＣＰＵ９０が、加熱ローラ６３を加熱するヒータの電源をＯＮ・ＯＦＦすることにより、加熱ローラ６３が、所定の温度になるように制御する。
【００５１】
このような定着ユニット４２において、加熱ローラ６３は、プロセスユニット４１において用紙Ｗに転写されたトナーを、用紙Ｗから加熱ローラ６３と押圧ローラ６４との間を通過する間に加熱及び加圧することにより定着させる。
【００５２】
更に、加熱ローラ６３は、画像定着後の用紙Ｗを、ガイド部材６７，６８により形成される排紙パスを介して、排出ローラ６９まで搬送する。そして、排出ローラ６９は、送られてきた用紙Ｗを排紙トレイ２ａ上に排紙する。
【００５３】
読取ユニット３は、画像読取装置４とＡＤＦ５とを備え、画像読取装置４は、画像形成ユニット２の排紙トレイ２ａの上方において、その下面４ｂが当該排紙トレイ２ａと対向し、この排紙トレイ２ａを覆うように配されている。
【００５４】
読取ユニット３は、フラットベッド方式のスキャナとして構成されており、このフラットベッド方式の構成では、ＡＤＦ５が後方に開くと、原稿台４ａが露出するようになっており（図２参照）、その原稿台４ａ上に本やその他の各種原稿を載置した状態でコピー時等における読み取りができるように構成されている。
【００５５】
尚、原稿の読み取りは、原稿台４ａ上に原稿を載置して行う場合と、ＡＤＦ５を利用する場合とがある。原稿台４ａ上に原稿を載置して行う場合には、原稿の搬送方向に沿って延びる軸７９に沿って、かつ、原稿台４ａに沿ってＣＩＳ（コンタクトイメージセンサ）７１が移動され、その際に１ラインずつ、原稿台４ａ上に載置された原稿の読み取りが行われる。また、一方、ＡＤＦ５を利用する場合には、ＣＩＳ７１が原稿台４ａの左端部側に移動され、その位置で保持されて、ＡＤＦ５により搬送される原稿の読み取りが１ラインずつ行われるようになっている。
【００５６】
図４は本実施形態の複合機１の電気系統を示すブロック図である。図４に示すように、複合機１は、各種の入力操作を受け付ける操作部６と、給紙カセット９の着脱が行われたことを検知する着脱検知部８２と、非接触型タグ８０（８０ａ，８０ｂ，８０ｃ）へのタグデータの記憶を行うＩＣライタ８１と、非接触型タグ８０（８０ａ，８０ｂ，８０ｃ）からの読み込みを行なうＩＣリーダ８３と、画像の読取を行う読取ユニット３と、印刷及び定着ユニット４２により加熱定着を行う画像形成部２２と、ＲＯＭ９１と、ＲＡＭ９２と、ＣＰＵ９０と、電話回線等の通信回線に接続されるファクシミリインターフェース９４、パーソナルコンピュータＰＣ（以下「パソコンＰＣ」という）等に接続されるネットワークインターフェース９５とを備えて構成されている。
【００５７】
ＣＰＵ９０は、外部のパソコンＰＣからの印刷データの受信及び、コピー走査が行われることにより読取ユニット３からの画像データの受信があると、印刷データ、画像データ及びデータに付加されている情報（例えば印刷指令を行ったユーザの情報、印刷要求のあった枚数等のページ情報）をＲＡＭ９２に記憶させる。
【００５８】
次に、複合機１で行われる印刷・選択制御処理（本発明の「選択手段」に相当）について説明する。図５〜図７は本実施形態の複合機１で行われる印刷・選択制御処理の一例を示すフローチャートである。尚、一部の処理をパソコンＰＣにより行って、複合機１に送信するようにしてもよい。あるいは、パソコンＰＣにより、印刷・選択制御処理を実行し、複合機１を制御するようにしてもよい。
【００５９】
まず、本印刷・選択制御処理の実行の前に、各給紙カセット９（９ａ，９ｂ，９ｃ，９ｄ）に収納されている用紙Ｗの非接触型タグ８０（８０ａ，８０ｂ，８０ｃ）の種類の判別検出をＩＣリーダ８３により行う。そして、検出した内容、本実施形態では、最上段の給紙カセット９ａには遠距離・小容量の非接触型タグ８０ａが設けられた用紙Ｗが収納されており、２段目の給紙カセット９ｂには近距離・大容量の非接触型タグ８０ｂが設けられた用紙Ｗが収納されており、３段目の給紙カセット９ｃには近距離・小容量の非接触型タグ８０ｃが設けられた用紙Ｗが収納されており、最下段の給紙カセット９ｄには非接触型タグ８０が設けられていない用紙Ｗが収納されていることを、ＲＡＭ９２に記憶する。
【００６０】
尚、ＩＣリーダ８３により検出する場合に限らず、複合機１の表示部１０１に表示される内容から、複合機１の操作部６の操作に従って、あるいはパソコンＰＣの操作に従って、各給紙カセット９（９ａ，９ｂ，９ｃ，９ｄ）に収納されている用紙Ｗの非接触型タグ８０（８０ａ，８０ｂ，８０ｃ）を設定するようにしてもよい。
【００６１】
図１０は表示部１０１等に表示される設定画面を示す説明図である。図１０に示すように、各給紙カセット９（９ａ，９ｂ，９ｃ，９ｄ）に収納されている非接触型タグ８０（８０ａ，８０ｂ，８０ｃ）及びタグ無しの種類をチェックボックスのチェックにより設定するようにしてもよい。また、ＩＣリーダ８３等により非接触型タグ８０（８０ａ，８０ｂ，８０ｃ）を検出して、設定とＩＣリーダ８３による検出とが異なった場合には、用紙エラーを表示するようにしてもよい。
【００６２】
図８は本実施形態の書き込み内容、検索キーワードの設定画面の説明図である。この設定画面は、複合機１の表示部１０１に表示され、あるいは、パソコンＰＣのモニターに表示されるもので、操作部６を操作して、あるいは、パソコンＰＣを操作して、書き込み内容のテキストボックス１００、検索キーワードのテキストボックス１０２に必要な内容が入力される。設定画面上での設定が終了すると、例えば、図９に示すように、設定した内容が複合機１の表示部１０１、あるいは、パソコンＰＣのモニター上に表示される。
【００６３】
書き込み内容のテキストボックス１００には、用紙Ｗに印刷するファイル名であって、同時に、非接触型タグ８０にタグデータとして書き込まれ記憶されるファイル名が入力される。検索キーワードのテキストボックス１０２には、印刷するファイル名の内容と関連のある単語や語句、例えば、○○仕様書、インデックスの「ＬＰ１１１１」等が入力される。入力は、複合機１の操作部６の操作、あるいはパソコンＰＣの操作により行われ、ファイルはパソコンＰＣから複合機１に送信される。また、ファイルが記憶されているネットワーク上のアドレスも同時に送信される。
【００６４】
そして、図５に示すように、本印刷制御処理では、まず、設定の読み込みが行われる（ステップ２００。以下、Ｓ２００という。以下同様。）。設定の読み込みでは、ページ番号ｉＰに「１」が、印刷ページ数ｍに「１」が、ファイル用ページ枚数ＰＰに「Ｐｅｎｄ」が設定される。尚、「Ｐｅｎｄ」はファイルを用紙Ｗに印刷する際の総ページ数である。
【００６５】
次に、検索キーワード（本発明の「検索データ」に相当）があるか否かを判断する（Ｓ２０５）。検索キーワードが設定されている際には（Ｓ２０５：ＹＥＳ）、遠距離・小容量の非接触型タグ８０ａが設けられた用紙Ｗが収納されている給紙カセット９ａを選択する（Ｓ２１０）。そして、給紙カセット９ａに用紙Ｗが有るか否かを判断する（Ｓ２１５）。用紙Ｗが有るか否かは、例えば、図示しない用紙検出センサにより給紙カセット９ａ内に用紙Ｗが有るか否かを検出して行なってもよいし、ＩＣリーダ８３によって非接触型タグ８０ａの存在が確認されるか否かによっても検出可能である。もし、用紙Ｗが無いときには（Ｓ２１５：ＮＯ）、表示部１０１に用紙Ｗ無しの表示を行ってエラー報知をして（Ｓ２２０）、本制御処理を終了する。
【００６６】
用紙Ｗが有ると判断したときには（Ｓ２１５：ＹＥＳ）、最上段の給紙カセット９ａから遠距離・小容量の非接触型タグ８０ａが設けられた用紙Ｗの搬送を開始する（Ｓ２２５）。
【００６７】
続いて、給紙ローラ２５により搬送される用紙Ｗの遠距離・小容量の非接触型タグ８０ａに、ＩＣライタ８１により検索キーワードを書き込む（記憶する）（Ｓ２３０）。検索キーワードは検索キーワードのテキストボックス１０２に入力された内容であり、その記憶するのに必要とする容量は小さい。
【００６８】
次に、書込成功か否かを判断する（Ｓ２３５）。書込成功か否かの判断は、本実施形態では、ＩＣライタ８１が書込・読込機能を有しており、ＩＣライタ８１がＳ２３０の処理により検索キーワードを非接触型タグ８０ａに書き込んだ後、非接触型タグ８０ａの内容を読み込んで、書込内容と比較することにより行なう。もし、書き込んだ内容と読み込んだ内容とが異なる場合には、書込不成功と判断して（Ｓ２３５：ＮＯ）、表示部１０１に書込不成功との表示を行ってエラー報知をすると共に（Ｓ２４０）、用紙Ｗに印刷することなく、そのまま排紙トレイ２ａに排出して（Ｓ２４５）、本制御処理を終了する。
【００６９】
書込成功と判断したときには（Ｓ２３５：ＹＥＳ）、搬送される用紙Ｗに画像形成ユニット２により印刷を行なう（Ｓ２５０）。次に、印刷した用紙Ｗを排紙トレイ２ａに排出して（Ｓ２５２）、ファイル用ページ枚数ＰＰにＰＰから１を減算した値を代入し、ページ番号ｉＰに１を加算する（Ｓ２５５）。
【００７０】
Ｓ２５５の処理を終了した後、あるいは、Ｓ２０５の処理により検索キーワードが無いと判断した後（Ｓ２０５：ＮＯ）、書込ファイルが有るか否かを判断する（Ｓ２６０）。書込ファイルが有るか否かは、書き込み内容のテキストボックス１００にファイル名が入力されているか否かにより判断する。
【００７１】
書込ファイルが有るときには（Ｓ２６０：ＹＥＳ）、書込フラグＷＦに「１」をセットし（Ｓ２６５）、書込ファイルが無いときには（Ｓ２６０：ＮＯ）、書込フラグＷＦに「０」をセットする（Ｓ２７０）。
【００７２】
書込ファイルが有り（Ｓ２６０：ＹＥＳ）、書込フラグＷＦに「１」をセットした後（Ｓ２６５）、図６に示すように、非接触型タグ８０に書き込むタグデータとしての書込ファイルのデータ容量ＣＦが、印刷される用紙Ｗのファイル用ページ枚数ＰＰ分の非接触型タグ８０ｃの少容量ＣＳの合計容量（＝ＣＳ・ＰＰ）よりも少ないか否かを判断する（ＣＦ＜ＣＳ・ＰＰ）（Ｓ２７５）。
【００７３】
その際、印刷される用紙Ｗのファイル用ページ枚数ＰＰは、Ｓ２５５の処理により、総ページ数Ｐｅｎｄから１ページを減算されており、Ｓ２３０の処理により、１枚目のページには検索キーワードが書き込まれるので、書込ファイルを書き込むページ数はその１ページ分少なくなる。
【００７４】
データ容量ＣＦが、非接触型タグ８０ｃの合計容量（＝ＣＳ・ＰＰ）よりも少ないときには（Ｓ２７５：ＹＥＳ）、小容量の非接触型タグ８０ｃにタグデータを書き込むことができると判断して、近距離・小容量の非接触型タグ８０ｃが設けられた用紙Ｗが収納された給紙カセット９ｃを選択する（Ｓ２８０）。
【００７５】
即ち、書込ファイルのデータ容量ＣＦが小さいので、印刷に要する枚数ＰＰ分の用紙Ｗの小容量ＣＳの非接触型タグ８０ｃに書込ファイルを記憶させることができると判断して、近距離・小容量の非接触型タグ８０ｃの給紙カセット９ｃを選択する。
【００７６】
次に、タグデータとしての書込ファイルのデータ容量ＣＦを非接触型タグ８０ｃの少容量ＣＳで割り算して、必要用紙枚数Ｍを算出する（Ｓ２８５）。必要用紙枚数Ｍは整数であり、小数点以下を切り上げして算出され、書込ファイルを書き込むのに必要とする非接触型タグ８０ｃが設けられた用紙Ｗの枚数である。
【００７７】
一方、Ｓ２７５の処理により、データ容量ＣＦが、非接触型タグ８０ｃの合計容量（＝ＣＳ・ＰＰ）よりも大きいときには（Ｓ２７５：ＮＯ）、非接触型タグ８０に書き込むタグデータのデータ容量ＣＦが、印刷される用紙Ｗのファイル用ページ枚数ＰＰ分の非接触型タグ８０ｂの大容量ＣＬの合計容量（＝ＣＬ・ＰＰ）よりも少ないか否かを判断する（ＣＦ＜ＣＬ・ＰＰ）（Ｓ２９０）。
【００７８】
データ容量ＣＦが、非接触型タグ８０ｂの合計容量（＝ＣＬ・ＰＰ）よりも少ないときには（Ｓ２９０：ＹＥＳ）、大容量の非接触型タグ８０ｂにタグデータを書き込むことができると判断して、近距離・大容量の非接触型タグ８０ｂが設けられた用紙Ｗが収納された給紙カセット９ｂを選択する（Ｓ２９５）。
【００７９】
即ち、書込ファイルのデータ容量ＣＦが大きいと、小容量の非接触型タグ８０ｃに記憶させたのでは、白紙の状態の用紙Ｗが必要となる。しかし、大容量ＣＬの非接触型タグ８０ｂに書込ファイルを記憶させると、印刷に要する枚数ＰＰ分の用紙Ｗの大容量ＣＬの非接触型タグ８０ｂに書込ファイルを記憶させることができると判断して、近距離・大容量の非接触型タグ８０ｂの給紙カセット９ｂを選択する。
【００８０】
そして、書き込むタグデータのデータ容量ＣＦを非接触型タグ８０ｂの大容量ＣＬで割り算して、必要用紙枚数Ｍを算出する（Ｓ３００）。Ｓ２８５の処理と同様、必要用紙枚数Ｍは整数であり、小数点以下を切り上げして算出され、書込ファイルを書き込むのに必要とする非接触型タグ８０ｂが設けられた用紙Ｗの枚数である。
【００８１】
Ｓ２８５の処理により、小容量ＣＳの非接触型タグ８０ｃが設けられた用紙Ｗの必要用紙枚数Ｍを算出した後、または、Ｓ３００の処理により、大容量ＣＬの非接触型タグ８０ｂが設けられた用紙Ｗの必要用紙枚数Ｍを算出した後、あるいは、Ｓ２７０の処理により書込ファイルが無いと判断して書込フラグＷＦに「０」をセットした後、ページ番号ｉＰが総ページ数Ｐｅｎｄを超えたか否かを判断する（Ｓ３０５）。即ち、最後のページまで印刷したか否かを判断する。
【００８２】
まだ、最後のページまで印刷していないときには（Ｓ３０５：ＮＯ）、図７に示すように、書込フラグＷＦが「１」か否かを判断する（Ｓ３１０）。書込ファイルが有り、書込フラグＷＦが「１」であるときには（Ｓ３１０：ＹＥＳ）、書込ファイルを書き込みはじめてからの印刷ページ数ｍが必要用紙枚数Ｍ以下であるか否かを判断する（Ｓ３１５）。
【００８３】
印刷ページ数ｍが必要用紙枚数Ｍより小さいときには（Ｓ３１５：ＹＥＳ）、Ｓ２８０の処理により選択した給紙カセット９ｃあるいはＳ２９５の処理により選択した給紙カセット９ｂをそのまま選択カセットとして指定する（Ｓ３２０）。
【００８４】
次に、Ｓ２１５の処理と同様に、給紙カセット９ｂ，９ｃに用紙Ｗが有るか否かを判断する（Ｓ３２５）。尚、用紙Ｗが無いと判断したときには（Ｓ３２５：ＮＯ）、Ｓ２２０の処理と同様、エラー報知をして（Ｓ３３０）、本制御処理を終了する。
【００８５】
用紙Ｗが有ると判断したときには（Ｓ３２５：ＹＥＳ）、給紙カセット９ｂから近距離・大容量の非接触型タグ８０ｂが設けられた用紙Ｗ、あるいは給紙カセット９ｃから近距離・小容量の非接触型タグ８０ｃが設けられた用紙Ｗの搬送を開始する（Ｓ３３５）。
【００８６】
続いて、給紙ローラ２５により搬送される用紙Ｗの近距離・大容量の非接触型タグ８０ｂ、あるいは、近距離・小容量の非接触型タグ８０ｃにＩＣライタ８１により書込ファイルをタグデータとして書き込む（記憶する）（Ｓ３４０）。
【００８７】
次に、Ｓ２３５の処理と同様に、書込成功か否かを判断する（Ｓ３４５）。もし、書込不成功と判断したときには（Ｓ３４５：ＮＯ）、書込不成功とのエラー報知を行うと共に（Ｓ３５０）、印刷することなく、用紙Ｗをそのまま排紙トレイ２ａに排出して（Ｓ３５５）、本制御処理を終了する。
【００８８】
書込成功と判断したときには（Ｓ３４５：ＹＥＳ）、搬送される用紙Ｗに画像形成ユニット２により印刷を行なう（Ｓ３６０）。次に、印刷した用紙Ｗを排紙トレイ２ａに排出して（Ｓ３６５）、印刷ページ数ｍに「１」を加算すると共に（Ｓ３７０）、ページ番号ｉＰに１を加算する（Ｓ３７５）。続いて、Ｓ３０５以下の処理を繰り返して、ページ番号ｉＰが総ページ数Ｐｅｎｄを超えるまで、Ｓ３１０以下の処理を実行する。
【００８９】
例えば、Ｓ２７５及びＳ２８０の処理により近距離・小容量の非接触型タグ８０ｃが設けられた用紙Ｗが収納された給紙カセット９ｃが選択されているときには、書込ファイルとしてのタグデータを近距離・小容量の非接触型タグ８０ｃに書き込み（Ｓ３１５〜Ｓ３２５，Ｓ３３５〜Ｓ３４５）、近距離・小容量の非接触型タグ８０ｃの用紙Ｗに印刷を行って（Ｓ３６０，ＳＳ３６５）、印刷ページ数ｍとページ番号ｉＰとに１を加算する（Ｓ３７０，Ｓ３７５）。
【００９０】
また、Ｓ２７５、Ｓ２９０及びＳ２９５の処理により近距離・大容量の非接触型タグ８０ｂが設けられた用紙Ｗが収納された給紙カセット９ｂが選択されているときには、書込ファイルとしてのタグデータを近距離・大容量の非接触型タグ８０ｂに書き込み（Ｓ３１５〜Ｓ３２５，Ｓ３３５〜Ｓ３４５）、近距離・大容量の非接触型タグ８０ｂの用紙Ｗに印刷を行って（Ｓ３６０，ＳＳ３６５）、印刷ページ数ｍとページ番号ｉＰとに１を加算する（Ｓ３７０，Ｓ３７５）。
【００９１】
Ｓ３０５以下の処理を繰り返して、近距離・小容量の非接触型タグ８０ｃまたは近距離・大容量の非接触型タグ８０ｂに書き込むと共に、用紙Ｗに印刷して、Ｓ３１５の処理により、印刷ページ数ｍが必要用紙枚数Ｍ以上となったと判断したときには（Ｓ３１５：ＮＯ）、非接触型タグ８０が設けられていない用紙Ｗが収納された給紙カセット９ｄを選択する（Ｓ３８０）。
【００９２】
即ち、印刷ページ数ｍが必要用紙枚数Ｍ以上となったときには、書込ファイルが全て近距離・小容量の非接触型タグ８０ｃまたは近距離・大容量の非接触型タグ８０ｂに書き込まれたと判断して、以後の印刷では、非接触型タグ８０が設けられていない用紙Ｗが収納された給紙カセット９ｄを選択する。
【００９３】
次に、Ｓ２１５の処理と同様に、給紙カセット９ｄに用紙Ｗが有るか否かを判断する（Ｓ３８５）。尚、用紙Ｗが無いと判断したときには（Ｓ３８５：ＮＯ）、Ｓ２２０の処理と同様、エラー報知をして（Ｓ３９０）、本制御処理を終了する。
【００９４】
用紙Ｗが有ると判断したときには（Ｓ３８５：ＹＥＳ）、給紙カセット９ｄから非接触型タグ８０が設けられていない用紙Ｗの搬送を開始する（Ｓ３９５）。そして、搬送される用紙Ｗに画像形成ユニット２により印刷を行なう（Ｓ４００）。次に、印刷した用紙Ｗを排紙トレイ２ａに排出して（Ｓ４０５）、ページ番号ｉＰに１を加算する（Ｓ４１０）。
【００９５】
即ち、書込ファイルをタグデータとして非接触型タグ８０ｃに書き込んだ（記憶した）後、更に、印刷を継続するときには、非接触型タグ８０が設けられていない用紙Ｗに印刷を行う。
【００９６】
Ｓ３０５以下の処理を繰り返して、Ｓ３０５の処理により、ページ番号ｉＰが総ページ数Ｐｅｎｄを超えたときには（Ｓ３０５：ＹＥＳ）、全てのページを印刷したと判断して、本制御処理を終了する。
【００９７】
一方、図６に示すように、Ｓ２９０の処理により、非接触型タグ８０に書き込むタグデータのデータ容量ＣＦが、印刷される用紙Ｗのファイル用ページ枚数ＰＰ分の非接触型タグ８０ｂの大容量ＣＬの合計容量（＝ＣＬ・ＰＰ）よりも大きいと判断したときには（ＣＦ＜ＣＬ・ＰＰ）（Ｓ２９０：ＹＥＳ）、ネットワーク上のアドレスがあるか否かを判断する（Ｓ４２０）。
【００９８】
データ容量ＣＦが非接触型タグ８０ｂの合計容量（＝ＣＬ・ＰＰ）よりも大きいと、書き込むタグデータのデータ容量が大きく、非接触型タグ８０に書き込むと、白紙の用紙Ｗが必要になる。その際には、アドレスが有るか否かを判断する。アドレスとは、書込ファイルが記憶されている、有線ＬＡＮ、あるいは、無線ＬＡＮ等によりネットワーク上に接続されているサーバーや外部記憶装置等における書込ファイルへアクセスするためのアドレスである。アドレスは、複合機１の操作部６から入力、あるいは、パソコンＰＣから書込ファイルと共に複合機１に送信される。尚、アドレスが無いときには（Ｓ４２０：ＮＯ）、表示部１０１にアドレスがないとの表示を行ってエラー報知をし（Ｓ４２５）、本制御処理を終了する。
【００９９】
アドレスが有るときには（Ｓ４２０：ＹＥＳ）、近距離・小容量の非接触型タグ８０ｃが設けられた用紙Ｗが収納された給紙カセット９ｃを選択する（Ｓ４３０）。次に、Ｓ２１５の処理と同様に、給紙カセット９ｃに用紙Ｗが有るか否かを判断する（Ｓ４３５）。尚、用紙Ｗが無いと判断したときには（Ｓ４３５：ＮＯ）、Ｓ２２０の処理と同様、エラー報知をして（Ｓ４４０）、本制御処理を終了する。
【０１００】
用紙Ｗが有ると判断したときには（Ｓ４３５：ＹＥＳ）、給紙カセット９ｃから近距離・小容量の非接触型タグ８０ｃが設けられた用紙Ｗの搬送を開始する（Ｓ４４５）。続いて、給紙ローラ２５により搬送される用紙Ｗの近距離・小容量の非接触型タグ８０ｃにＩＣライタ８１によりアドレスをタグデータとして書き込む（Ｓ４５０）。
【０１０１】
次に、Ｓ２３５の処理と同様に、書込成功か否かを判断する（Ｓ４５５）。もし、書込不成功と判断したときには（Ｓ４５５：ＮＯ）、書込不成功とのエラー報知を行うと共に（Ｓ４６０）、印刷することなく、用紙Ｗをそのまま排紙トレイ２ａに排出して（Ｓ４６５）、本制御処理を終了する。
【０１０２】
書込成功と判断したときには（Ｓ４５５：ＹＥＳ）、搬送される用紙Ｗに画像形成ユニット２により印刷を行なう（Ｓ４７０）。次に、印刷した用紙Ｗを排紙トレイ２ａに排出して（Ｓ４７５）、書込フラグＷＦに「０」をセットしてから（Ｓ４８０）、ページ番号ｉＰに１を加算する（Ｓ４８５）。
【０１０３】
続いて、Ｓ３０５以下の処理を繰り返して、ページ番号ｉＰが総ページ数Ｐｅｎｄを超えていないときには（Ｓ３０５：ＮＯ）、Ｓ３１０の処理では、書込フラグＷＦが「０」にセットされていると判断して（Ｓ３１０：ＮＯ）、非接触型タグ８０が設けられていない用紙Ｗが収納された給紙カセット９ｄを選択する（Ｓ４９０）。
【０１０４】
次に、Ｓ２１５の処理と同様（但し、ＩＣリーダ８３による検出は不可）に、給紙カセット９ｄに用紙Ｗが有るか否かを判断する（Ｓ４９５）。尚、用紙Ｗが無いと判断したときには（Ｓ４９５：ＮＯ）、Ｓ２２０の処理と同様、エラー報知をして（Ｓ５００）、本制御処理を終了する。
【０１０５】
用紙Ｗが有ると判断したときには（Ｓ４９５：ＹＥＳ）、給紙カセット９ｄから非接触型タグ８０が設けられていない用紙Ｗの搬送を開始する（Ｓ５０５）。そして、搬送される用紙Ｗに画像形成ユニット２により印刷を行なう（Ｓ５１０）。次に、印刷した用紙Ｗを排紙トレイ２ａに排出して（Ｓ５１５）、ページ番号ｉＰに１を加算する（Ｓ５２０）。
【０１０６】
即ち、データ容量ＣＦが非接触型タグ８０ｂの合計容量（＝ＣＬ・ＰＰ）よりも大きいときには、非接触型タグ８０に書込ファイルを書き込むことなく、アドレスをタグデータとして非接触型タグ８０ｃに書き込んだ（記憶した）後、更に、印刷を継続するときには、非接触型タグ８０が設けられていない用紙Ｗに印刷を行う。小容量の非接触型タグ８０ｃにアドレスを書き込むことにより、アドレスに基づいて、書込ファイルを入手でき、白紙の用紙を用いて書込ファイルを書き込むのを防止できる。
【０１０７】
Ｓ３０５以下の処理を繰り返して、Ｓ３０５の処理により、ページ番号ｉＰが総ページ数Ｐｅｎｄを超えたときには（Ｓ３０５：ＹＥＳ）、全てのページを印刷したと判断して、本制御処理を終了する。
【０１０８】
また、Ｓ２６０の処理により、書込ファイルがないと判断し（Ｓ２６０：ＮＯ）、Ｓ２７０の処理により、書込フラグＷＦに「０」をセットしたときには、Ｓ３１０の処理で、書込フラグＷＦが「０」にセットされていると判断して（Ｓ３１０：ＮＯ）、非接触型タグ８０が設けられていない用紙Ｗが収納された給紙カセット９ｄを選択する（Ｓ４９０）。
【０１０９】
次に、Ｓ２１５の処理と同様に、給紙カセット９ｄに用紙Ｗが有るか否かを判断する（Ｓ４９５）。尚、用紙Ｗが無いと判断したときには（Ｓ４９５：ＮＯ）、Ｓ２２０の処理と同様、エラー報知をして（Ｓ５００）、本制御処理を終了する。
【０１１０】
用紙Ｗが有ると判断したときには（Ｓ４９５：ＹＥＳ）、給紙カセット９ｄから非接触型タグ８０が設けられていない用紙Ｗの搬送を開始し（Ｓ５０５）、用紙Ｗに画像形成ユニット２により印刷を行なう（Ｓ５１０）。次に、印刷した用紙Ｗを排紙トレイ２ａに排出して（Ｓ５１５）、ページ番号ｉＰに１を加算する（Ｓ５２０）。
【０１１１】
即ち、１枚目のページには検索キーワードを書き込むが、書込ファイルがないときの２枚目以降の印刷、あるいは、検索キーワード及び書込ファイルがないときの印刷には、非接触型タグ８０が設けられていない用紙Ｗを用いる。
【０１１２】
尚、本実施形態では、検索データとしての検索キーワードが有るときには、遠距離・小容量の非接触型タグ８０ａを有する用紙Ｗが収納された給紙カセット９ａを選択しているが、これに限らず、グラフィックデータ等の大容量のデータが有るときには、大容量の非接触型タグ８ｂを有する用紙Ｗが収納された給紙カセット９ｂを選択するようにしてもよい。その際、ファイルの拡張子によりデータの内容を判断するようにするとよい。
【０１１３】
また、書込ファイルのデータ容量が大きく、アドレスを小容量の非接触型タグ８０ｃに書き込む場合、裏表紙となる最後のページの用紙Ｗにより大容量の非接触型タグを設けたものを用いて、大容量の書込ファイルを書き込むようにしてもよい。
【０１１４】
以上本発明はこの様な実施形態に何等限定されるものではなく、本発明の要旨を逸脱しない範囲において種々なる態様で実施し得る。
【図面の簡単な説明】
【０１１５】
【図１】本発明の一実施形態としての複合機の外観を示す斜視図である。
【図２】本実施形態の読取ユニットを開けた状態を示す複合機の斜視図である。
【図３】本実施形態の複合機を給紙ローラ等の軸方向から見た要部側断面図である。
【図４】本実施形態の複合機の電気系統を示すブロック図である。
【図５】本実施形態の複合機において行われる印刷・選択制御処理の前半部分の一例を示すフローチャートである。
【図６】本実施形態の複合機において行われる印刷・選択制御処理の中間部分の一例を示すフローチャートである。
【図７】本実施形態の複合機において行われる印刷・選択制御処理の後半部分の一例を示すフローチャートである。
【図８】本実施形態の書き込み内容、検索キーワードの設定画面の説明図である。
【図９】本実施形態の書き込み内容、検索キーワードの設定後の画面の説明図である。
【図１０】本実施形態の表示部等に表示される非接触型タグの種類の設定画面を示す説明図である。
【符号の説明】
【０１１６】
１…複合機          ２…画像形成ユニット
２ａ…排紙トレイ    ３…自動搬送原稿読取ユニット
４…画像読取装置    ９，９ａ，９ｂ，９ｃ，９ｄ…給紙カセット
２１…フィーダ部    ２２…画像形成部
２５…給紙ローラ    ２９…レジストローラ
４０…スキャナユニット  ４１…プロセスユニット
４２…定着ユニット  ５２…感光体ドラム
５４…転写ローラ    ５５…現像ローラ
６３…加熱ローラ    ６４…押圧ローラ
８０，８０ａ，８０ｂ，８０ｃ…非接触型タグ
８１…ＩＣライタ    ８２…着脱検知部
８３…ＩＣリーダ    ＰＣ…パーソナルコンピュータ
Ｗ…用紙
【図１】
2008073886.tif 000003
【図２】
2008073886.tif 000004
【図３】
2008073886.tif 000005
【図４】
2008073886.tif 000006
【図５】
2008073886.tif 000007
【図６】
2008073886.tif 000008
【図７】
2008073886.tif 000009
【図８】
2008073886.tif 000010
【図９】
2008073886.tif 000011
【図１０】
2008073886.tif 000012